(57)【要約】【課題】  洗濯用保護袋内の洗濯物を偏らないようにして洗濯性やすすぎ性を阻害することなく、また、乾燥時にはネット内の洗濯物が自由に踊ることができて容易に乾燥が行え、さらに、不使用時にはコンパクトに折りたたむことができる洗濯用保護袋の提供。【解決手段】  洗濯物を出し入れするための開口部１０を有する通水性シートよりなる袋本体２と、袋本体を立体的に拡張しうる少なくとも２本の線状保形部材３とを備え、前記線状保形部材３が立体的に交差するとともに、当該交差部３０を中心として相互に回動可能に線状保形部材３が袋本体２に取り付けられていることを特徴とする洗濯用保護袋１により解決する。【選択図】  図１
2005152088.tif 000002
【特許請求の範囲】
【請求項１】
洗濯物を出し入れするための開口部を有する通水性シートよりなる袋本体と、
袋本体の所期する立体形状を保つために配置される複数本の線状保形部材とを備え、
前記線状保形部材が立体的に交差するとともに、
当該交差部を中心として相互に回動可能に袋本体に取り付けられていることを特徴とする洗濯用保護袋。
【請求項２】
前記線状保形部材は、袋本体に環状に取り付けられてなる請求項１に記載の洗濯用保護袋。
【請求項３】
前記線状保形部材は、袋本体全周の半周を巡る第１半体と、他の半周を巡る第２半体とからなる請求項２に記載の洗濯用保護袋。
【請求項４】
前記線状保形部材が形状的復元力を備えている請求項１〜３のいずれか１項に記載の洗濯用保護袋。
【請求項５】
前記袋本体にパイピング処理が施されるとともに、
前記線状保形部材がパイピングテープ内に収納状態で袋本体に取り付けられている請求項１〜４のいずれか１項に記載の洗濯用保護袋。
【請求項６】
交差する線状保形部材の一方が袋本体の内側に取り付けられ、他方が袋本体の外側に取り付けられている請求項１〜５のいずれか１項に記載の洗濯用保護袋。
【発明の詳細な説明】
【技術分野】
【０００１】
この発明は、洗濯機によって洗濯する場合に洗濯槽や他の衣類との摺擦、あるいは洗濯物どうしの絡み合いから洗濯物を保護し、傷みや型くずれを防止するために用いられる洗濯用保護袋に関する。特に、乾燥機や同一の洗濯槽で洗濯から乾燥まで行う洗濯機にも好適である洗濯用保護袋に関する。
【背景技術】
【０００２】
ストッキングや下着などの比較的弱い生地からなる衣類やレースが施された衣類などを洗濯機で洗濯する場合、洗濯槽や他の衣類との摺擦から前記洗濯物を保護し、あるいは他の洗濯物と絡み合って引っ張られることによる損傷などを防止するための洗濯ネットは広く普及するに至っている。
【０００３】
従来からある洗濯ネットは、単に袋状に形成されたネット地に洗濯物を出し入れするための開口部を備え、当該開口部を開閉するためのファスナーが設けられただけのものであり、洗濯ネットの内部で洗濯物が偏りネット地と密着して洗剤やすすぎ水が洗濯物全体に到達しにくい部分ができ、洗浄やすすぎ効果が阻害されたりすることが多かった。
【０００４】
このような問題点に対し、洗濯ネットに輪状の芯材を固着して洗濯ネットを一定の形状に維持し、洗濯ネットの内部にある洗濯物の偏りを防止する洗濯ネットが提案されている（例えば特許文献１、２）。
【特許文献１】特開２０００−２５４３８６号
【特許文献２】実用新案登録第３０１１００４号
【発明の開示】
【発明が解決しようとする課題】
【０００５】
しかしながら特許文献１に記載の洗濯ネットは、一本の輪状の芯材がネットに固着されているだけであるため、ネット地と洗濯物が密着して洗濯物が偏ってしまうことが依然として発生し、洗浄やすすぎ効果を阻害する場合があった。
【０００６】
また、乾燥機に適用された場合には、洗濯ネット内に十分な空間が発生しないため、ネット内の洗濯物が踊るように自由に動いて熱風や温風をはらむことできず、当該洗濯ネット内の洗濯物を均一かつ早期には十分に乾燥させることができなかった。洗濯から脱水、乾燥まで一貫して同一の槽で行うことのできるいわゆる全自動洗濯機が登場している昨今に於いては、このような問題が多く発生している。
【０００７】
また、特許文献２に記載の洗濯ネットは、輪軸と称する輪状の芯材を複数本洗濯ネットに固着することで立体的に常に広がったものとなされた洗濯ネットであるので、洗濯物がネット内部で偏ることもなく、当該ネットごと乾燥機に投入しても、内部の洗濯物が自由に温風の中で踊ることができるため、洗浄やすすぎを阻害することもなく、また乾燥を阻害することも無いものと思われる。
【０００８】
しかし、当該洗濯ネットは、折りたたんで扁平にすることはできず、不使用時には場所をとることなく収納したいという要望に対しては満足できるものではなかった。
【０００９】
この発明は、既に提案されている洗濯ネットの欠点に鑑み、洗濯ネット内の洗濯物を偏らないようにして洗浄やすすぎを阻害することなく、また、乾燥時にはネット内の洗濯物が自由に踊ることができて容易に乾燥が行え、さらに、不使用時にはコンパクトに折りたたむことができる洗濯用保護袋の提供を目的とする。
【００１０】
本発明は下記手段を提供することにより、前記目的を達成する。すなわち、
【課題を解決するための手段】
【００１１】
（１）  洗濯物を出し入れするための開口部を有する通水性シートよりなる袋本体と、袋本体の所期する立体形状を保つために配置される複数本の線状保形部材とを備え、前記線状保形部材が立体的に交差するとともに、当該交差部を中心として相互に回動可能に袋本体に取り付けられていることを特徴とする洗濯用保護袋。
（２）  前記線状保形部材は、袋本体に環状に取り付けられてなる前項１に記載の洗濯用保護袋。
（３）  前記線状保形部材は、袋本体全周の半周を巡る第１半体と、他の半周を巡る第２半体とからなる前項２に記載の洗濯用保護袋。
（４）  前記線状保形部材が形状的復元力を備えている前項１〜３のいずれか１項に記載の洗濯用保護袋。
（５）  前記袋本体にパイピング処理が施されるとともに、前記線状保形部材がパイピングテープ内に収納状態で袋本体に取り付けられている前項１〜４のいずれか１項に記載の洗濯用保護袋。
（６）  交差する線状保形部材の一方が袋本体の内側に取り付けられ、他方が袋本体の外側に取り付けられている前項１〜５のいずれか１項に記載の洗濯用保護袋。
【発明の効果】
【００１２】
（１）に記載の発明にかかる洗濯用保護袋によれば、洗濯中や乾燥中は遠心力や内外部の洗濯物からの圧力、その他の力で洗濯用保護袋が所期する立体形状となって、内部の洗濯物が自由に踊るように形を変えながら移動することができる。従って、洗浄段階に於いては洗剤やすすぎ水が洗濯用保護袋内の洗濯物全体に行き渡り、洗濯用保護袋の存在によって洗浄やすすぎが阻害されることはない。また、乾燥段階でも同様に温風や熱風が洗濯物全体に行き渡るため、洗濯用保護袋が乾燥を阻害することがない。
【００１３】
しかも、線状保形部材を交差部を中心として回動させることで洗濯用保護袋を折りたたむことができるため、洗濯用保護袋をコンパクトに収納することもできる。
【００１４】
無論洗濯物を摺擦や絡み合いから保護するという効果も備えている。
【００１５】
（２）に記載の発明によれば、線状保形部材が袋本体に環状に取り付けられているため、袋本体が所期する立体形状となった場合の保形性が良く、当該洗濯用保護袋が内部に収容している洗濯物の洗浄・すすぎ・乾燥を阻害することがより少なくなる。
【００１６】
（３）に記載の発明によれば、第一半体と第２半体に分割されている部分でさらに袋本体を折りたたむことができる。従って、さらに収納性能を向上させることができる。また、当該分割されている部分を利用することで、袋本体により大きな開口部を確保することも可能となる。
【００１７】
（４）に記載の発明によれば、線状保形部材が形状的に復元するため洗濯中に洗濯物から線状保形部材に無理な力がかかって一時的に線状保形部材が変形したとしても、形状を復元させて元の洗濯用保護袋の形状に戻すことができる。また、洗濯用保護袋を乱雑に扱っても好適な状態を維持することができる。
【００１８】
（５）に記載の発明によれば、パイピングテープ内に線状保形部材が収納されているため、線状保形部材が直接洗濯物にふれることなく、洗濯物に対してソフトに接触することが可能となる。また、別体のパイピングテープで線状保形部材を袋本体に取り付けるため、取り付け強度が向上するばかりでなく、線状保形部材の取り付け作業も容易になる。
【００１９】
（６）に記載の発明によれば、交差する線状保形部材の間に袋本体が介在することになるため、線状保形部材同士が直接接触することによる劣化を防止することができる。
【００２０】
また、同一の側面に線状保形部材を取り付ける場合、一方の線状保形部材が他方の線状保形部材を回避するように局部的に屈曲させたり、袋本体への取り付け距離を一方より長くしなければならないため、部品点数が多くなりコスト高につくが、表裏の両面で交差させることで、袋本体への取り付け距離は一定、かつ、線状保形部材を局部的に屈曲させる必要はないため、表裏とも同一の部品とすることができ、コストを低下させることができ、また、線状保形部材の取り付けも容易となる。
【発明を実施するための最良の形態】
【００２１】
以下、この発明の具体的な実施形態について説明する。
【００２２】
図１〜図４に示すこの発明にかかる洗濯用保護袋１は、概ね袋本体２と線状保形部材３で構成されている。
【００２３】
前記袋本体２は、従来の洗濯用保護袋と同様に袋内外にある洗濯物を通水性シートで分離して、袋内部にある洗濯物を過度の摺擦から保護する目的を担うものである。本実施形態では、通水性シートとしては合成繊維からなるネット状の編み地を採用した。なお、通水性シートとしては、編み地の他、織り地や不織布など通水性能と通風性能を備えたものであれば特に限定されるものではない。
【００２４】
袋本体２は、図４（ａ）に示すようにＤ字形状の通水性シートからなる８枚のシート片２０…を立体的に縫着して形成されている。縫製後の袋本体２は、底部が略正方形の二つの無底ドーム形状が底部同士を重ね合わせて得られる形状であって、袋本体２を広げた状態の外観はラグビーボール状となされている。このように、複数のシート片２０…を縫着して袋本体を立体的に縫製することで、洗濯用保護袋１が使用される際には立体的に広がりやすくなる。
【００２５】
D字形状のシート片２０の曲線縫着部２１にはパイピング処理が施されている。本実施形態におけるパイピング処理とは、布地の縁に別布であるパイピングテープ４をパイプ状に縫いつけて、縫着部のシート片２０の端部を外から見えないようにしたものであり、外観上見栄えがよいとともに、縫着強度の向上を図るものである。また、パイプ状に縫いつけられたパイピングテープ４の内部には、後述する線状保形部材３が挿入されており、当該パイピングテープ４が、線状保形部材３を袋本体２に取り付けるための取り付け部材としての役目も担っている。
【００２６】
図１に示すように、袋本体２の中間部にある角部２２ａから頂部２３ａを通り対角にある角部２２ｃを通るルートおよび、角部２２ｂ−頂部２３ｂ−角部２２ｄのルートについてはパイピングテープ４が袋本体２の外側に突出するようにパイピング処理がなされている。また、角部２２ｂ−頂部２３ａ−角部２２ｄのルートおよび角部２２ａ−頂部２３ｂ−角部２２ｃのルートについては、パイピングテープ４が袋本体２の内側に突出するようにパイピング処理が施されている。このように、袋本体２の内側と外側にパイピング処理をすることにより、頂部２３に存在する交差部３０がごわつくこと無く容易にパイピング処理を施すことができ、また、袋本体２を裏返すだけでほぼ同様の行程および同種のパイピングテープ４でパイピング処理を行うことができる。さらに、パイピングテープ４に線状補助部材３を挿入する際に於いても、一方の線状保形部材３の存在により他方の線状保形部材３の挿入が阻害されることなく交差部３０においてスムーズに挿入することが可能となる。
【００２７】
なお、交差部３０に於いて交差する２本のパイピングテープ４は、直角に交差するように袋本体２に縫着されているのではなく、二組の対向するシート片２０を重ね合わせ、他の組のシート片２０は中心線で谷折りにして扁平状に折りたたんだときに（図２）、袋本体２がひきつらないような角度となるように縫着されている。このような角度に設定することにより、折りたたんだ洗濯用保護袋１が自然には開きにくくなり、洗濯用保護袋１を折りたたんだコンパクトなままの状態で収納することができる。また、使用時には、交差部３０は９０度近くにまで広げられることはあるが、シート片２０の柔軟性により前記広げられた角度を維持することができる。
【００２８】
シート片２０の直線縫着部２４は、角部２２ｂから角部２２ｃを通り角部２２ｄに至る範囲はパイピング処理を施されることなく縫着されている。一方、角部２２ｂから角部２２ａを通り角部２２ｄに至る範囲は樹脂製ファスナー５を介して縫着されている。当該樹脂製ファスナー５は、洗濯用保護袋１の２面にわたって設けられているため、ファスナー５をすべて開放すると大きな開口部１０が形成され、洗濯物の出し入れを容易に行うことができる。また、ファスナー５を樹脂製とすることにより、洗濯物にソフトに接触することができ、錆によって洗濯物にシミを作る心配もなくなる。ファスナー５を閉ざした状態におけるスライダー５０の位置の上部には、スライダー５０を覆うカバー布１１が設けられており、スライダーが洗濯物に引っかかることを防止している。
【００２９】
線状保形部材３は樹脂製であって、袋本体２の形状に沿って曲げることのできる弾力性と、部分的にさらに曲げられたとしても元の形状に戻ることができる復元力を有した細い棒状の部材である。
【００３０】
本洗濯用保護袋１には、４本の前記線状保形部材３…が備えられている。線状保形部材３の一つは、角部２２ａに一端部が位置し、頂部２３ａを通過して角部２２ｃに至るルートで袋本体２に取り付けられている。また、他の線状保形部材の３本はそれぞれ、角部２２ｂ−頂部２３ａ−角部２２ｄ・角部２２ａ−頂部２３ｂ−角部２２ｃ・角部２２ｂ−頂部２３ｂ−角部２２ｄのルートで袋本体２に取り付けられている。なお、当該説明におけるルートの順は便宜上示したものであり、その方向性や順位を示すものではない。
【００３１】
また、前述したように、線状保形部材３…はすべて袋本体２に筒状となるように縫着されたパイピングテープ４…内に収納されており、線状保形部材３がパイピングテープ内で動いたり抜け出さないように線状保形部材３の端部近傍のパイピングテープ４は縫着により封止されている。
【００３２】
前述のように線状保形部材３が配置されることによって、袋本体２には全体として環状の線状保形部材３…が取り付けられた状態となる。また、角部２２に対応する位置に前記線状保形部材３を長さ方向に分割する分割部３１が設けられた状態となる。このように線状保形部材３が配置され分割部３１を備えることにより、本洗濯用保護袋１は、図２に示すように、二つの交差部３０…を中心として線状保形部材３を相互に回動させて折りたたむことができ、さらに、図３に示すように、頂部２３を重ね合わせるように直線縫着部２４で折りたたむことが可能となる。従って、本洗濯用保護袋１は非常にコンパクトに収納することが可能となる。
【００３３】
また、直線縫着部２４に対応する位置に線状保形部材３の分割部３１が配置されているため、線状保形部材３にじゃまされることなく袋本体２の２面にわたって開口部を大きくとることができる。従って、洗濯物の出し入れが非常に容易な洗濯用保護袋１となされている。
【００３４】
本洗濯用保護袋１は次のようにして作成される。
【００３５】
図４（ａ）に破線で示すように、２枚のＤ字形状のシート片２０…を一組として、各組の角部２２から頂部２３までを縫い代２５を設けて曲線縫着部２１を縫着する。次に、図４（ｂ）に示すように、表裏のシート片２０…を中心線２６で谷折りにして広げ、２組の縫着されたシート片２０の広げた部分を重ね合わせる。そして、全体としてＵ字状となされた曲線縫着部２１を一本のパイピングテープ４で縫い代２５を隠すようにパイピング処理を施す。このパイピング処理とは、袋本体２とは別体のパイピングテープ４を縫い代２５を包み込むように縫着することで、シート片２０の端縁を隠して美観を向上させるとともに縫着強度を向上させるものである。また、本実施形態の場合は、当該パイピングテープ４を線状保形部材３を袋本体２に取り付けるための取り付け具としても利用している。次に、図４（ｃ）に示すように、前記パイピングテープ４が内側に来るように縫着されたシート片２０を裏返し、表に出た未縫着の曲線縫着部２１を縫着し、前期と同様に縫い代２５にパイピング処理を施す。交差部３０近傍をパイピング処理するにあたっては、図４（ｄ）に示すように、先にパイピング処理を施したパイピングテープ４と今回パイピング処理を施そうとしているパイピングテープ４とがほぼ同一平面に位置するようにシート片２０を調整してパイピング処理を施す。このように交差部３０にパイピング処理を施すとで、パイピングテープ４…同士は直角に交差するのではなく一定の角度をもって袋本体２に縫着される。従って、袋本体が引きつることなく洗濯用保護袋１を折りたたむことができ、収納状態の洗濯用保護袋１が自然に広がることを防止することができる。
【００３６】
次に、図４（ｅ）に示すようにパイプ状となされたパイピングテープ４…の一端を縫着して封止し、残る開口端から線状保形部材３…を挿入する。この作業に於いても、パイピングテープ４が袋本体２の表裏で立体的に交差して相互に干渉していないため一方の線状保形部材３の存在が他方の線状保形部材３の挿入作業をじゃますることはなく、スムーズに作業をすることができる。挿入作業完了後はパイピングテープ４の開口している端部を縫着により封止することで、線状保形部材３は袋本体２に固定状態に取り付けられる。
【００３７】
最後に、直線縫着部２４を２面にわたって縫着するとともに、残る直線縫着部２４はファスナー５を介して縫着することにより本実施形態にかかる洗濯用保護袋１は概ね完成する。
【００３８】
次に、本実施形態にかかる洗濯用保護袋１は以下のようにして使用される。なお、当該使用方法は従来の洗濯用保護袋と特に変わるところはなく、洗濯用保護袋１の使用者は意識することなく洗濯用保護袋１に基づく効果を享受できるものである。
【００３９】
まず洗濯用保護袋１を折りたたまれた状態から広げ、ファスナー５を開放して開口部１０から洗濯用保護袋１内部に洗濯物を投入し、ファスナー５を閉める。次に、当該洗濯用保護袋１を洗濯槽に投入する。洗濯行程に於いて投入された洗濯用保護袋１は、遠心力や内外部の洗濯物からの力などによって所期する形状に広がっていく。なお、洗濯用保護袋１は常に一定の大きさに拡張するのではなく、内部にある洗濯物の量により拡張する度合いは変化する。このように、洗濯用保護袋１が立体的に広がることで、洗濯物が内部で偏ってしまうことはなく、洗濯用保護袋１内部で洗濯物が自由に踊り、洗剤やすすぎ水が洗濯物全体にわたって接触でき、まんべんなく洗浄やすすぎを行うことができる。
【００４０】
脱水終了後、洗濯用保護袋１に収容されたまま洗濯物を要すれば乾燥槽に投入する。乾燥段階に於いても、洗濯段階と同様に洗濯用保護袋１は遠心力などにより立体的に広がり、洗濯用保護袋１内で洗濯物が踊って熱風や温風が洗濯物全体を通過させることができるため、洗濯用保護袋１が乾燥を阻害することはない。
【００４１】
一連の洗濯・脱水・乾燥段階終了後は、洗濯用保護袋１から洗濯物を取り出す。その後、洗濯用保護袋１を二つの交差部３０…を通る軸を中心として線状補強材３を相互に反対側に回動させ、洗濯用保護袋を扁平状に折りたたむ。さらに要すれば、扁平状に折りたたんだ洗濯用保護袋１を頂部２３が重なるように折りたたむ。以上のように折りたためば、コンパクトに収納することが可能となる。
【００４２】
本願発明の一実施形態は上記に示したとおりであるが、本願発明は上記実施形態に限定されるわけではない。
【００４３】
例えば、線状保形部材３は縫着部に沿って取り付けられるばかりでなく、シート片２０の中間部など任意の箇所に取り付けるものであっても良い。また、線状保形部材３を取り付けるためのパイピング処理として、シート片２０を突条につまみ上げてその部分にパイピング処理を施し、当該パイピングテープ４内に線状保形部材３を挿入するものとしてもかまわない。
【００４４】
また、洗濯用保護袋１を広げた状態の形状としては、図５に示すような正方形各辺が外に向かって膨出したような形状のシート片が底部に備えられたドーム形状の他、球形や三角錐など任意の形状を採用しうる。
【００４５】
袋本体２は袋状に編み上げられて縫着部の少ない袋体であっても良い。また、線状保形部材３の材質は樹脂ばかりでなく金属でも良い。金属ではアルミニウムやステンレスなど錆びないまたは錆びにくい金属材が望ましい。
【００４６】
なお、本特許請求の範囲および明細書中に記載した環状とは無端のみを意味するものではなく、端部を有していても全体として環状であればよい。
【図面の簡単な説明】
【００４７】
【図１】ある程度立体的に広がった洗濯用保護袋全体を示す斜視図である。
【図２】洗濯用保護袋を折りたたんだ状態を示す斜視図である。
【図３】図２の状態の洗濯用保護袋からさらに折りたたんだ状態を示す斜視図である。
【図４】洗濯用保護袋の製造工程を示した平面図（ａ）および斜視図（ｂ）〜（ｅ）。
【図５】他の実施形態を示す斜視図である。
【符号の説明】
【００４８】
１：洗濯用保護袋
２：袋本体
３：線状保形部材
４：パイピングテープ
10：開口部
30：交差部
【図１】
2005152088.tif 000003
【図２】
2005152088.tif 000004
【図３】
2005152088.tif 000005
【図４】
2005152088.tif 000006
【図５】
2005152088.tif 000007